(57)【要約】【課題】横幅や奥行きが狭くても貯蔵量の多量化を図る。【解決手段】縦形球樋６は上下が閉鎖された円筒状の縦形ケース１１の内部に上下方向に延びる中心棒１２を固定し、中心棒１２の外側にスクリューのような螺旋羽根１３を固定的に備えたことにより、縦形ケース１１の内部に上下方向に中心棒１２を中心とする螺旋スロープ１４が形成されており、補給系統９から供給された球Ｐが球取入口２１より螺旋スロープ１４に導入されると、球Ｐが螺旋スロープ１４に沿って恰も前後左右に蛇行を描くような形態となり、必然的に縦形球樋６での球貯蔵量が多くなる。【選択図】        図２
2004201978.tif 000002
【特許請求の範囲】
【請求項１】
遊技機設置設備の補給系統から供給された球を受け取る縦形球樋と、球を別体に形成された遊技機に払い出す払出機構と、払出機構を制御する払出制御装置とを備えた球払出装置において、縦形球樋が縦形ケースの内部に上下方向に延びる螺旋スロープを形成したことを特徴とする球払出装置。
【発明の詳細な説明】
【０００１】
【発明の属する技術分野】
本発明は別体に形成された遊技機に球を払い出す球払出装置であって、特に、縦形球樋の構造に関する。
【０００２】
【従来の技術】
従来の遊技機と別体の球払出装置は、遊技機設置設備の補給系統から球が縦形球樋に供給された状態において、遊技者がプリペイドカードまたは現金のいずれかの有価物を挿入口に挿入して貸出操作すると、払出機構が払出制御装置の指示で挿入された有価物の金額情報の範囲内での球を前面の払出ノズルから遊技機の受皿に払い出している（例えば、特許文献１参照）。
【０００３】
【特許文献１】
特開２０００−２２９１７０号公報（第１頁、要約、図３、図４）
【０００４】
【発明が解決しようとする課題】
しかしながら、従来例は遊技機設置設備から供給された球を払出機構に誘導する縦形球樋の内部に形成された蛇行球通路が球を左右に蛇行しながら流下させていく構造であるため、横幅の狭い球払出装置にあっては、縦形球樋の奥行きが大きく形成されており、縦形球樋が払出機構や払出制御装置などの設置スペースを圧迫している。しかも、蛇行球通路が球を一列に誘導する構造であるため、上下方向における単位寸法当たりでの球の貯蔵量が少ないという問題点がある。
【０００５】
そこで、本発明は、横幅や奥行きが狭くても貯蔵量の多くなる球払出装置を提供するものである。
【０００６】
【課題を解決するための手段】
本発明にあっては、遊技機設置設備の補給系統から供給された球を受け取る縦形球樋と、球を別体に形成された遊技機に払い出す払出機構と、払出機構を制御する払出制御装置とを備えた球払出装置において、縦形球樋が縦形ケースの内部に上下方向に延びる螺旋スロープを形成したことによって、螺旋スロープが球を上下方向に延びる中心の周りを旋回するように誘導することから、縦形球樋の横幅および奥行きを小さく形成しても、縦形球樋での貯蔵量を多くすることができる。
【０００７】
【発明の実施の形態】
図１−図３は一実施形態であって、図１は球払出装置４と遊技機３としてのパチンコ機とを併設した遊技設備１の外観を示し、図２は縦形球樋６を縦方向に切断して示し、図３は縦形球樋６の上部を横方向に切断して示す。
【０００８】
図１を参照し、遊技設備１について説明する。遊技設備１は島と呼ばれるような遊技機設置設備２に遊技機３と別体に形成された球払出装置４とを併設した形態である。球払出装置４は遊技媒体としての球を遊技機３に払い出す装置であって、球払出装置４の外囲器を構成する装置本体５の内部に縦形球樋６と払出機構７と払出制御装置８とを備える。
【０００９】
図２を参照し、縦形球樋６について説明する。縦形球樋６は遊技機設置設備２の補給系統９から供給された球を払出機構７に誘導するものであって、上下が閉鎖された円筒状の縦形ケース１１の内部に上下方向に延びる中心棒１２を固定し、中心棒１２の外側にスクリューのような螺旋羽根１３を固定的に備えたことにより、縦形ケース１１の内部に上下方向に中心棒１２を中心とする螺旋スロープ１４が形成される。払出機構７は電磁ソレノイドまたはモータのような電気で駆動するアクチュエータ１５を備える。
【００１０】
そして、図１に示すように払出制御装置８が電力供給で起動し、遊技者が図外のプリペイドカードまたは現金のいずれかの有価物を装置本体５の前面に設けられた挿入口１６に挿入すると、図外の情報読取器が挿入された有価物に書き込まれた金額情報を読み取って記憶する。その状態において、遊技者が装置本体５の前面に設けられた貸出操作部１７を操作し、図外の球貸スイッチが球貸操作信号を払出制御装置８に出力すると、払出制御装置８が読み取った金額情報の範囲内での球貸スイッチの操作回数に基づく払出数を記憶した後に払出機構７のアクチュエータ１５を払出制御し、払出機構７から貸球としての球が払出ノズル１８を経由して遊技機３の受皿１９に払い出される。その払い出される球を検出した図外の計数器が計数信号を払出制御装置８に出力する。払出制御装置８は計数器からの計数信号をカウントアップした値が記憶した払出数と一致するか、または、計数信号で記憶した払出数をカウントダウンした値が「０」になるかで、アクチュエータ１５を停止制御する。
【００１１】
図２にも示すように縦形ケース１１の上部には補給系統９から供給される球Ｐを螺旋スロープ１４に導入する球取入口２１を備え、球取入口２１では補給系統９の球排出口部２２が縦形ケース１１の外側より内側に挿入されて螺旋羽根１３の上端部に球Ｐを平面視一列で滑らかに流すように連なる。縦形ケース１１の下部には螺旋スロープ１４から払出機構７に球Ｐを導出する球排出口２３を備え、球排出口２３では螺旋羽根１３の下端部が螺旋羽根１３の上下間隔を上から下に行くに従って徐々に狭くなるように湾曲形成されて一個の球Ｐを通過し得る通路を形成するように絞られて払出機構７の球取入口部２４に球Ｐを滑らかに流すように連なる。上側の螺旋羽根１３と下側の螺旋羽根１３との間における上下間隔は二個以上の球Ｐが上下に並ぶ複列を成して上から下へ流れる寸法である。図３にも示すように螺旋羽根１３と縦形ケース１１との間の隙間Ｈは一個の球Ｐの直径よりも小寸法である。
【００１２】
本実施形態の構造によれば、縦形ケース１１の内部に形成された螺旋スロープ１４は補給系統９から供給された球Ｐを複列で払出機構７の方向に自然流下式に誘導する。このように螺旋スロープ１４が球Ｐを上下方向に延びる中心の周りを旋回するように複列で誘導することから、縦形球樋６の横幅つまり縦形ケース１１の横幅および奥行きを小さく形成しても、球Ｐが螺旋スロープ１４に沿って恰も前後左右に蛇行を描くような形態であるので、必然的に縦形球樋６での球貯蔵量が多くなる。
【００１３】
前記実施形態では螺旋羽根１３を中心棒１２に固定したが、螺旋羽根１３は縦形ケース１１に固定しても同様に適用することができる。貸出操作部１７は装置本体５の前面に設けたことに代えて遊技機３の前面に設けてもよい。遊技機３は球を遊技媒体として用いるスロットマシンでも適用できる。球払出装置は球を貸し出す以外に遊技結果の賞としての球を払い出してもよい。その場合、遊技機３の遊技制御から球払出装置４に賞としての球を払い出す信号を出力すればよい。要するに、球払出装置４を貸し出す球だけを払い出すようにしてもよいし、貸し出す球と遊技結果の賞としての球との両方を払い出すようにしてもよい。
【図面の簡単な説明】
【図１】一実施形態の遊技設備を示す斜視図。
【図２】同実施形態の縦形球樋を示す縦断面図。
【図３】同実施形態の縦形球樋を示す横断面図。
【符号の説明】
２  遊技機設置設備、３  遊技機、４  球払出装置、６  縦形球樋、
７  払出機構、８  払出制御装置、９  補給系統、１１  縦形ケース、
１４  螺旋スロープ、Ｐ  球。
【図１】
2004201978.tif 000003
【図２】
2004201978.tif 000004
【図３】
2004201978.tif 000005